(57)【特許請求の範囲】
【請求項１】
施設を利用予約した利用者の前記施設に対するチェックイン手続を受け付けるチェックイン装置と、物品を収容可能な複数のロッカーを有するロッカー装置を管理するロッカー管理装置と、を備える施設利用管理システムであって、
前記チェックイン装置は、
前記ロッカー装置の利用手続に関する操作入力を受け付ける第１受付処理部と、
前記操作入力が受け付けられた場合に、前記利用者の予約情報を検索するための予約検索情報の入力を受け付ける第２受付処理部と、
前記第２受付処理部によって受け付けられた前記予約検索情報に基づいて前記利用者の前記利用予約に関する予約情報があると判定され、現在時刻が前記利用者のチェックインを受付可能なチェックイン可能時刻よりも前であると判定された場合に、前記ロッカー装置の利用に必要なロッカーキーを発行し、前記現在時刻が前記チェックイン可能時刻を過ぎている場合に前記ロッカーキーを発行しないロッカーキー発行処理部と、
前記現在時刻が前記チェックイン可能時刻を過ぎている場合に、前記チェックイン装置の表示部に前記チェックイン手続を促すメッセージを表示する第１表示処理部と、を備える、施設利用管理システム。
【請求項２】
施設を利用予約した利用者の前記施設に対するチェックイン手続を受け付けるチェックイン装置と、物品を収容可能な複数のロッカーを有するロッカー装置を管理するロッカー管理装置と、を備える施設利用管理システムであって、
前記チェックイン装置は、
前記ロッカー装置の利用手続に関する操作入力を受け付ける第１受付処理部と、
前記操作入力が受け付けられた場合に、前記利用者の予約情報を検索するための予約検索情報の入力を受け付ける第２受付処理部と、
前記第２受付処理部によって受け付けられた前記予約検索情報に基づいて前記利用者の前記利用予約に関する予約情報があると判定された場合に、前記ロッカー装置の利用に必要なロッカーキーを発行するロッカーキー発行処理部と、
前記施設に対する前記利用者のチェックイン処理を実行するチェックイン処理部と、を備え、
前記チェックイン処理部は、
前記ロッカーキー発行処理部によって発行された前記ロッカーキーに対応する前記ロッカーが使用中である場合に前記チェックイン処理を中断し、前記ロッカーキーに対応する前記ロッカーの使用が終了した場合に、前記チェックイン処理を継続する、施設利用管理システム。
【請求項３】
前記ロッカーキー発行処理部は、
現在時刻が前記利用者のチェックインを受付可能なチェックイン可能時刻よりも前である場合に前記ロッカーキーを発行し、前記現在時刻が前記チェックイン可能時刻を過ぎている場合に前記ロッカーキーを発行しない、請求項２に記載の施設利用管理システム。
【請求項４】
前記チェックイン装置は、
前記現在時刻が前記チェックイン可能時刻を過ぎている場合に、前記チェックイン装置の表示部に前記チェックイン手続を促すメッセージを表示する第１表示処理部を更に備える、請求項３に記載の施設利用管理システム。
【請求項５】
前記チェックイン装置は、
前記利用者の前記予約情報があると判定された場合に、前記ロッカー管理装置に未使用ロッカーがあるか否かを問い合わるせる問い合わせ要求を送信する問い合わせ処理部を更に備え、
前記ロッカーキー発行処理部は、
前記問い合わせ処理部による前記問い合わせ要求に応じて前記ロッカー管理装置から前記未使用ロッカーに関する未使用情報を受信した場合に、前記未使用情報に対応する前記未使用ロッカーの前記ロッカーキーを発行する、請求項１から４のいずれかに記載の施設利用管理システム。
【請求項６】
前記チェックイン装置は、
前記未使用情報を受信した場合に、前記未使用ロッカーの識別情報及び収容容積を前記チェックイン装置の表示部に表示する第２表示処理部と、
前記未使用ロッカーを選択する選択操作の入力を受け付ける第３受付処理部と、を更に備え、
前記ロッカーキー発行処理部は、
前記第３受付処理部によって受け付けられた前記選択操作に対応する前記未使用ロッカーの前記ロッカーキーを発行する、請求項５に記載の施設利用管理システム。
【請求項７】
前記第２表示処理部は、
前記未使用情報が複数の前記未使用ロッカーに関する情報である場合に、前記複数の未使用ロッカーそれぞれの前記識別情報及び前記収容容積を前記チェックイン装置の表示部に表示し、
前記ロッカーキー発行処理部は、
前記複数の未使用ロッカーのいずれかを選択する前記選択操作が前記第３受付処理部によって受け付けられた場合に、前記選択操作に対応する前記未使用ロッカーの前記ロッカーキーを発行する、請求項６に記載の施設利用管理システム。
【請求項８】
前記ロッカーキー発行処理部は、
前記操作入力の受付日の前記利用予約に関する前記予約情報があると判定された場合に、前記ロッカーキーを発行する、請求項１から７のいずれかに記載の施設利用管理システム。
【請求項９】
前記ロッカーキー発行処理部は、前記ロッカーキーを発行した場合に、当該ロッカーキーに対応する前記ロッカーの識別情報を前記ロッカー管理装置に送信し、
前記ロッカー管理装置は、
前記複数のロッカーの使用状態を示すステータス情報を記憶するステータス記憶部と、
前記ロッカーの識別情報を受信した場合に、前記ロッカーの前記ステータス情報を未使用から使用予約中に変更するステータス変更処理部と、を備える、請求項１から８のいずれかに記載の施設利用管理システム。
【請求項１０】
施設を利用予約した利用者のチェックイン処理を実行するチェックインステップを含む施設利用管理方法であって、
ロッカー装置の利用手続に関する操作入力を受け付ける第１受付ステップと、
前記操作入力が受け付けられた場合に、前記施設の利用予約に関する前記利用者の予約情報を検索するための予約検索情報の入力を受け付ける第２受付ステップと、
前記第２受付ステップによって受け付けられた前記予約検索情報に基づいて前記利用者の前記利用予約に関する予約情報があると判定され、現在時刻が前記利用者のチェックイン手続を受付可能なチェックイン可能時刻よりも前であると判定された場合に、前記ロッカー装置の利用に必要なロッカーキーを発行し、前記現在時刻が前記チェックイン可能時刻を過ぎている場合に前記ロッカーキーを発行しないロッカーキー発行ステップと、
前記現在時刻が前記チェックイン可能時刻を過ぎている場合に、チェックイン装置の表示部に前記チェックイン手続を促すメッセージを表示する第１表示ステップと、
を一又は複数のプロセッサにより実行する施設利用管理方法。
【請求項１１】
施設を利用予約した利用者のチェックイン処理を実行するチェックインステップを含み、
ロッカー装置の利用手続に関する操作入力を受け付ける第１受付ステップと、
前記操作入力が受け付けられた場合に、前記施設の利用予約に関する前記利用者の予約情報を検索するための予約検索情報の入力を受け付ける第２受付ステップと、
前記第２受付ステップによって受け付けられた前記予約検索情報に基づいて前記利用者の前記利用予約に関する予約情報があると判定され、現在時刻が前記利用者のチェックイン手続を受付可能なチェックイン可能時刻よりも前であると判定された場合に、前記ロッカー装置の利用に必要なロッカーキーを発行し、前記現在時刻が前記チェックイン可能時刻を過ぎている場合に前記ロッカーキーを発行しないロッカーキー発行ステップと、
前記現在時刻が前記チェックイン可能時刻を過ぎている場合に、チェックイン装置の表示部に前記チェックイン手続を促すメッセージを表示する第１表示ステップと、
を一又は複数のプロセッサに実行させるためのプログラム。
【請求項１２】
施設を利用予約した利用者のチェックイン処理を実行するチェックインステップを含む施設利用管理方法であって、
ロッカー装置の利用手続に関する操作入力を受け付ける第１受付ステップと、
前記操作入力が受け付けられた場合に、前記施設の利用予約に関する前記利用者の予約情報を検索するための予約検索情報の入力を受け付ける第２受付ステップと、
前記第２受付ステップによって受け付けられた前記予約検索情報に基づいて前記利用者の前記利用予約に関する予約情報があると判定された場合に、前記ロッカー装置の利用に必要なロッカーキーを発行するロッカーキー発行ステップと、を含み、
前記チェックインステップは、
前記ロッカーキー発行ステップによって発行された前記ロッカーキーに対応するロッカーが使用中である場合に前記チェックイン処理を中断し、前記ロッカーキーに対応する前記ロッカーの使用が終了した場合に、前記チェックイン処理を継続するものであり、
各ステップを一又は複数のプロセッサにより実行する施設利用管理方法。
【請求項１３】
施設を利用予約した利用者のチェックイン処理を実行するチェックインステップを含み、
ロッカー装置の利用手続に関する操作入力を受け付ける第１受付ステップと、
前記操作入力が受け付けられた場合に、前記施設の利用予約に関する前記利用者の予約情報を検索するための予約検索情報の入力を受け付ける第２受付ステップと、
前記第２受付ステップによって受け付けられた前記予約検索情報に基づいて前記利用者の前記利用予約に関する予約情報があると判定された場合に、前記ロッカー装置の利用に必要なロッカーキーを発行するロッカーキー発行ステップと、を含み、
前記チェックインステップは、
前記ロッカーキー発行ステップによって発行された前記ロッカーキーに対応するロッカーが使用中である場合に前記チェックイン処理を中断し、前記ロッカーキーに対応する前記ロッカーの使用が終了した場合に、前記チェックイン処理を継続するものであり、
各ステップを一又は複数のプロセッサに実行させためのプログラム。
【発明の詳細な説明】
【技術分野】
【０００１】
本発明は、施設利用管理システム、施設利用管理方法、及びプログラムに関する。
【背景技術】
【０００２】
近年、ホテル、旅館等の宿泊施設において、フロントの省人化及びチェックイン手続きの効率化を図るために、利用者がフロント付近に設置されたチェックイン端末を自ら操作して前記チェックイン手続きを行うチェックインシステムが利用されている（例えば特許文献１参照）。
【０００３】
事前に宿泊予約をした利用者は、チェックインが可能な時刻を過ぎると、前記チェックイン端末を操作することにより、チェックイン手続を行うことができる。具体的には、前記チェックイン端末において、宿泊者の予約確認などが完了すると、前記チェックイン端末は、例えばカードタイプのルームキー（カードキー）を排出する。利用者は、前記チェックイン端末から前記カードキーを受け取って、所定の客室を解錠する。
【０００４】
ところで、前記宿泊施設では、宿泊者に対するサービスとして、チェックイン時刻前に施設に到着した利用者の荷物を一時的に預かるサービスを行っている。例えば、所謂コインロッカーを敷地内に有する宿泊施設においては、従来、利用者からの要請を受けて、フロントスタッフがフロント端末を操作し、当該利用者が宿泊予約者であるかどうか確認し、宿泊予約者である場合に限り、フロントスタッフが前記コインロッカーのロッカーキーを発行して、利用者に手渡している。
【先行技術文献】
【特許文献】
【０００５】
【特許文献１】特開２０１９−３２７４９号公報
【発明の概要】
【発明が解決しようとする課題】
【０００６】
しかしながら、チェックイン時刻前に利用者にロッカーの使用を許可する場合、上述したように、フロントスタッフが、利用を求める利用者の対応や、利用者が宿泊予約者であるか否かの確認作業を行う必要がある。また、ロッカーキーの発行処理、ロッカーキーを利用者に渡す作業などもフロントスタッフが行うため、宿泊施設のフロント業務の負荷が増加し、フロントスタッフの負担が大きいという問題がある。このような問題は、宿泊施設に限らず、前記コインロッカーなどのロッカー装置を設置しているスポーツ施設や、空港などにおいても生じ得る。
【０００７】
本発明の目的は、ホテルなどの施設を利用予約した利用者に対して、施設のスタッフが介在することなく利用者に対してロッカー装置の利用に用いられるロッカーキーを発行することにより、施設のスタッフの業務負荷を軽減することを可能にする施設利用管理システム、施設利用管理方法、及びプログラムを提供することにある。
【課題を解決するための手段】
【０００８】
本発明の一の局面に係る施設利用管理システムは、施設を利用予約した利用者の前記施設に対するチェックイン手続を受け付けるチェックイン装置と、物品を収容可能な複数のロッカーを有するロッカー装置を管理するロッカー管理装置と、を備える。
前記チェックイン装置は、第１受付処理部と、第２受付処理部と、ロッカーキー発行処理部と、を備える。
前記第１受付処理部は、前記ロッカー装置の利用手続に関する操作入力を受け付ける。前記第２受付処理部は、前記操作入力が受け付けられた場合に、前記利用者の予約情報を検索するための予約検索情報の入力を受け付ける。前記ロッカーキー発行処理部は、前記第２受付処理部によって受け付けられた前記予約検索情報に基づいて前記利用者の前記利用予約に関する予約情報があると判定された場合に、前記ロッカー装置の利用に必要なロッカーキーを発行する。
【０００９】
このように構成されているため、利用者によるロッカー装置の利用申請にあたり、施設のスタッフが介在することなく利用者に対してロッカー装置の利用に用いられるロッカーキーを発行することが可能となる。これにより、施設のスタッフの業務負荷を軽減することができる。
【００１０】
本発明に係る施設利用管理システムでは、前記ロッカーキー発行処理部は、前記操作入力の受付日の前記利用予約に関する前記予約情報があると判定された場合に、前記ロッカーキーを発行する。
【００１１】
この構成であれば、前記操作入力の受付日に宿泊予約をしていない利用者に対してロッカーキーが発行されず、前記受付日に宿泊予約をしている利用者に対してロッカーキーが発行される。これにより、前記受付日に宿泊予約をしていない利用者によるロッカー装置の使用を制限することができる。
【００１２】
本発明に係る施設利用管理システムでは、前記ロッカーキー発行処理部は、現在時刻が前記利用者のチェックインを受付可能なチェックイン可能時刻よりも前である場合に前記ロッカーキーを発行し、前記現在時刻が前記チェックイン時刻を過ぎている場合に前記ロッカーキーを発行しない。
【００１３】
この構成であれば、前記操作入力が受け付けられている時刻（現在時刻）が前記チェックイン可能時刻を過ぎている場合のロッカーキーの発行が禁止される。チェックイン可能時刻以降は、利用者は、チェックイン手続きを完了してルームキーを発行すれば、利用者自身の客室に荷物を保管することができる。そのため、前記現在時刻が前記チェックイン可能時刻を過ぎている場合は、前記ロッカーキーの発行を禁止することにより、ロッカー装置のロッカーの空きが確保される。
【００１４】
前記チェックイン装置は、前記現在時刻が前記チェックイン可能時刻を過ぎている場合に、前記チェックイン装置の表示部に前記チェックイン手続を促すメッセージを表示する第１表示処理部を更に備える。
【００１５】
この構成であれば、前記現在時刻が前記チェックイン時刻を過ぎている場合に、利用者に対してチェックイン手続きを勧めることができる。
【００１６】
前記チェックイン装置は、問い合わせ処理部を更に備える。前記問い合わせ処理部は、前記利用者の前記予約情報があると判定された場合に、前記ロッカー管理装置に未使用ロッカーがあるか否かを問い合わるせる問い合わせ要求を送信する。前記ロッカーキー発行処理部は、前記問い合わせ処理部による前記問い合わせ要求に応じて前記ロッカー管理装置から前記未使用ロッカーに関する未使用情報を受信した場合に、前記未使用情報に対応する前記未使用ロッカーの前記ロッカーキーを発行する。
【００１７】
この構成であれば、ロッカー装置に未使用ロッカーがある場合に限り、ロッカーキーが発行される。
【００１８】
前記チェックイン装置は、第２表示処理部と、第３受付処理部と、を更に備える。前記第２表示処理部は、前記未使用情報を受信した場合に、前記未使用ロッカーの識別情報及び収容容積を前記チェックイン装置の表示部に表示する。前記第３受付処理部は、前記未使用ロッカーを選択する選択操作の入力を受け付ける。
【００１９】
この構成であれば、ロッカー装置に未使用ロッカーがあり、且つ、利用者によって前記未使用ロッカーが選択された場合に限り、前記ロッカーキーが発行される。
【００２０】
本発明に係る施設利用管理システムでは、前記第２表示処理部は、前記未使用情報が複数の前記未使用ロッカーに関する情報である場合に、前記複数の未使用ロッカーそれぞれの前記識別情報及び前記収容容積を前記チェックイン装置の表示部に表示する。また、前記ロッカーキー発行処理部は、前記複数の未使用ロッカーのいずれかを選択する前記選択操作が前記第３受付処理部によって受け付けられた場合に、前記選択操作に対応する前記未使用ロッカーの前記ロッカーキーを発行する。
【００２１】
この構成であれば、ロッカー装置に複数の未使用ロッカーがあり、且つ、利用者によっていずれか一つの未使用ロッカーが選択された場合に限り、前記ロッカーキーが発行される。これにより、利用者は、所望するロッカーを任意に選択することができる。
【００２２】
前記チェックイン装置は、前記施設に対する前記利用者のチェックイン処理を実行するチェックイン処理部を更に備える。また、前記チェックイン処理部は、前記ロッカーキー発行処理部によって発行された前記ロッカーキーに対応する前記ロッカーが使用中である場合に前記チェックイン処理を中断し、前記ロッカーキーに対応する前記ロッカーの使用が終了した場合に、前記チェックイン処理を継続する。
【００２３】
この構成であれば、利用者がロッカー装置のロッカーを使用中である場合は、その利用者に対するチェックイン処理が中断される。一方、利用者がロッカーの使用を終了している場合は、チェックイン処理が継続される。これにより、ロッカーから荷物が取り出された場合だけチェックイン処理が継続されるため、ロッカーの空きを確保することができる。
【００２４】
前記ロッカーキー発行処理部は、前記ロッカーキーを発行した場合に、当該ロッカーキーに対応する前記ロッカーの識別情報を前記ロッカー管理装置に送信する。また、前記ロッカー管理装置は、ステータス記憶部と、ステータス変更処理部と、を備える。前記ステータス記憶部は、前記複数のロッカーの使用状態を示すステータス情報を記憶する。前記ステータス変更処理部は、前記ロッカーの識別情報を受信した場合に、前記ロッカーの前記ステータス情報を未使用から使用予約中に変更する。
【００２５】
この構成であれば、本発明に係る施設利用管理システムが複数のチェックイン装置を備えている場合に、他のチェックイン装置による重複したロッカーキーの発行を防止することができる。
【００２６】
本発明の他の局面に係る施設利用管理方法は、施設を利用予約した利用者のチェックイン処理を実行するチェックインステップを含むであって、ロッカー装置の利用手続に関する操作入力を受け付ける第１受付ステップと、前記操作入力が受け付けられた場合に、前記施設の利用予約に関する前記利用者の予約情報を検索するための予約検索情報の入力を受け付ける第２受付ステップと、前記第２受付ステップによって受け付けられた前記予約検索情報に基づいて前記利用者の前記利用予約に関する予約情報があると判定された場合に、前記ロッカー装置の利用に必要なロッカーキーを発行するロッカーキー発行ステップと、を一又は複数のプロセッサにより実行する施設利用管理方法である。
【００２７】
本発明の他の局面に係るプログラムは、前記施設利用管理方法の各ステップを一又は複数のプロセッサに実行させるためのプログラム、又は、このようなプログラムを非一時的に記録したコンピュータ読み取り可能な記録媒体として捉えることもできる。当該プログラムは、施設を利用予約した利用者のチェックイン処理を実行するチェックインステップを含み、ロッカー装置の利用手続に関する操作入力を受け付ける第１受付ステップと、前記操作入力が受け付けられた場合に、前記施設の利用予約に関する前記利用者の予約情報を検索するための予約検索情報の入力を受け付ける第２受付ステップと、前記第２受付ステップによって受け付けられた前記予約検索情報に基づいて前記利用者の前記利用予約に関する予約情報があると判定された場合に、前記ロッカー装置の利用に必要なロッカーキーを発行するロッカーキー発行ステップと、を一又は複数のプロセッサに実行させるためのプログラムである。
【発明の効果】
【００２８】
本発明によれば、ホテルなどの施設を利用予約した利用者に対して、施設のスタッフが介在することなく利用者に対してロッカー装置の利用に用いられるロッカーキーを発行することにより、施設のスタッフの業務負荷を軽減することが可能である。
【図面の簡単な説明】
【００２９】
【図１】図１は、本発明の実施形態に係る宿泊施設チェックインシステムの構成を示す図である。
【図２】図２は、本発明の実施形態に係る宿泊施設チェックインシステムの構成を示すブロック図である。
【図３】図３は、本発明の実施形態に係る宿泊施設チェックインシステムで利用される予約情報の一例を示す図である。
【図４】図４は、本発明の実施形態に係る宿泊施設チェックインシステムで利用されるチェックイン情報の一例を示す図である。
【図５】図５は、本発明の実施形態に係る宿泊施設チェックインシステムのチェックイン端末の一例を示す外観図である。
【図６】図６は、本発明の実施形態に係る宿泊施設チェックインシステムのロッカー装置の一例を示す外観図である。
【図７】図７は、本発明の実施形態に係る宿泊施設チェックインシステムのチェックイン端末に表示される操作画面（トップ画面）の一例を示す図である。
【図８】図８は、本発明の実施形態に係る宿泊施設チェックインシステムのチェックイン端末に表示される操作画面（ロッカー選択画面）の一例を示す図である。
【図９】図９は、本発明の実施形態に係る宿泊施設チェックインシステムのロッカー装置に表示される操作画面（受付画面）の一例を示す図である。
【図１０】図１０は、本発明の実施形態に係る宿泊施設チェックインシステムにおいて実行されるロッカーキー発行処理の手順の一例を示すフローチャートである。
【図１１】図１１は、本発明の実施形態に係る宿泊施設チェックインシステムにおいて実行されるロッカー制御処理の手順の一例を示すフローチャートである。
【図１２】図１２は、本発明の実施形態に係る宿泊施設チェックインシステムにおいて実行されるチェックイン処理の手順の一例を示すフローチャートである。
【発明を実施するための形態】
【００３０】
以下、適宜図面を参照して本発明の実施形態について説明する。なお、以下に説明される各実施形態は、本発明を具体化した一例にすぎず、本発明の技術的範囲を限定するものではない。
【００３１】
〈第１実施形態〉
［宿泊施設チェックインシステム１００］
図１に示すように、本発明の実施形態に係る宿泊施設チェックインシステム１００は、本発明の施設利用管理システムの一例であり、管理装置１０と、一又は複数のチェックイン端末２０（本発明のチェックイン装置の一例）と、ロッカー装置３を管理及び制御するロッカー制御装置４０（本発明のロッカー管理装置の一例）とを含む。宿泊施設チェックインシステム１００は、ホテル、旅館等の宿泊施設に導入される。
【００３２】
管理装置１０は、例えば、宿泊施設のフロントや事務室などに配置され、利用者の予約情報を管理する。宿泊施設の管理者、従業員などのスタッフは、管理装置１０を操作することが可能である。
【００３３】
チェックイン端末２０は、宿泊客である利用者に操作される操作端末の一例である。チェックイン端末２０は、例えば、宿泊施設のフロント付近に設置され、利用者によるチェックイン手続き及びチェックアウト手続きなどの操作を受け付ける。また、チェックイン端末２０は、チェックイン前における利用者のロッカー利用手続きの操作を受け付ける。
【００３４】
ロッカー装置３は、宿泊施設内に設置されており、例えば、宿泊施設のフロント付近に設置される。ロッカー装置３は、複数のロッカー３００（収容部）と、ロッカー制御装置４０とを有する。ロッカー制御装置４０は、ロッカー装置３に対する利用手続きの受入処理や、各ロッカー３００の施錠及び解錠に伴う処理を実行する。
【００３５】
管理装置１０、チェックイン端末２０、及びロッカー装置３は、宿泊施設に設置される有線ＬＡＮ又は無線ＬＡＮなどの通信網Ｎ１を介して相互に通信可能である。チェックイン端末２０は、１台設置されてもよいし複数台設置されてもよい。図１は、一例として、２台のチェックイン端末２０を示している。なお、管理装置１０は、宿泊施設の外部に配置され、通信網Ｎ１を介してチェックイン端末２０と通信してもよい。
【００３６】
ここで、宿泊施設の利用者は、自身の利用者端末（不図示）を使用して、例えば、前記宿泊施設が運営又は管理するＷＥＢサイトの宿泊予約ページにアクセスして宿泊予約を行う。管理装置１０は、宿泊予約された予約内容を含む予約情報を取得して、当該予約情報を管理する。なお、上述した宿泊予約は、管理装置１０で実行されてもよいし、管理装置１０に通信網Ｎ１を介して接続された予約サーバ（不図示）で実行されてもよい。例えば前記予約サーバは、利用者から予約要求を受け付けて前記宿泊予約に伴う予約処理を実行し、予約が完了した場合に前記予約情報を管理装置１０に送信する。前記利用者端末及び管理装置１０は、インターネット、ＬＡＮ、ＷＡＮ、又は公衆電話回線などの通信網を介して通信可能である。
【００３７】
宿泊予約を行った利用者は、宿泊日に前記宿泊施設を訪れ、チェックイン端末２０を操作してチェックイン手続きを行う。また、利用者は、必要に応じて、チェックイン端末２０を操作して、ロッカー装置３のロッカー３００を使用するためのロッカー利用手続きを行う。また、利用者は、必要に応じて、チェックイン端末２０を操作してチェックアウト手続きを行う。また、利用者は、チェックイン手続き又はチェックアウト手続きにおいて、利用代金の決済手続きを行う。また、ロッカー３００の利用料が発生する場合、利用者はロッカー利用手続きにおいて、利用代金の決済手続きを行う。
【００３８】
［管理装置１０］
図２に示すように、管理装置１０は、制御部１１、記憶部１２、操作表示部１３、通信インターフェース１４などを備える。管理装置１０は、例えばパーソナルコンピュータ又はタブレット端末のような情報処理装置であってもよい。また、管理装置１０は、所謂ホテル管理システム（Property Management System）を構築する情報処理装置又はクラウドサーバであってもよい。管理装置１０は、宿泊予約を管理する予約管理機能に加えて、客室管理、会計管理、及び顧客管理などの各機能を備えてもよい。また、管理装置１０は、利用者が使用するロッカー装置３のロッカー３００の番号（ロッカー番号）や、ロッカー３００を解錠するためのロッカーキーを含むロッカー情報を管理する機能（ロッカー情報管理機能）を備えてもよい。なお、前記ロッカー番号は、ロッカー３００の識別情報である。
【００３９】
通信インターフェース１４は、管理装置１０を有線又は無線で通信網Ｎ１に接続し、通信網Ｎ１を介してチェックイン端末２０及びロッカー制御装置４０との間で所定の通信プロトコルに従ったデータ通信を実行する。また、通信インターフェース１４は、管理装置１０を有線又は無線で所定の通信網に接続し、当該通信網を介して前記利用者端末（不図示）などの外部機器との間で所定の通信プロトコルに従ったデータ通信を実行する。
【００４０】
操作表示部１３は、各種の情報を表示する液晶ディスプレイ又は有機ＥＬディスプレイのような表示部と、操作を受け付けるマウス、キーボード、又はタッチパネルなどの操作部とを備えるユーザインターフェースである。
【００４１】
記憶部１２は、各種の情報を記憶するフラッシュメモリなどの不揮発性の記憶部である。記憶部１２には、後述のロッカーキー発行処理（図１０参照）や、ロッカー制御処理（図１１参照）、チェックイン処理（図１２参照）などの各処理を制御部１１に実行させるための制御プログラムが記憶されている。これらの制御プログラムは、コンピュータ読取可能なＣＤ又はＤＶＤなどの記録媒体に非一時的に記録されており、管理装置１０に電気的に接続されるＣＤドライブ又はＤＶＤドライブなどの読取装置（不図示）で読み取られて、記憶部１２に記憶される。
【００４２】
また、記憶部１２には、前記利用者端末から受け付けた宿泊予約の情報（予約情報）を含む予約管理データ１２１（図３参照）と、利用者のロッカー利用に関する情報（ロッカー利用情報）を含むロッカー利用管理データ１２２（図４参照）とが記憶される。なお、予約管理データ１２１及びロッカー利用管理データ１２２は、管理装置１０に所定の通信網を介して接続されるデータサーバ（不図示）に含まれてもよい。
【００４３】
予約管理データ１２１は、複数の予約情報を含むデータベースである。予約管理データ１２１は、各予約情報に含まれる利用者名（宿泊者名）などの宿泊者情報に対してキーワード（本発明の予約検索情報の一例）による検索処理や照合処理が可能なように、記憶部１２に格納されている。なお、本実施形態では、予約管理データ１２１は、チェックイン後の利用者の宿泊状況の情報（宿泊情報）を示す宿泊客管理データを兼ねている。したがって、予約管理データ１２１には、利用者がチェックインしたか否かを示すチェックイン状況や、客室番号、発行済みのルームキーの識別情報など宿泊情報が前記予約情報とともに含まれる。なお、図３では、前記宿泊情報として前記チェックイン状況が示され予約管理データ１２１が例示されている。
【００４４】
ロッカー利用管理データ１２２は、複数の利用者のロッカー利用情報を含むデータベースである。ロッカー利用管理データ１２２は、各ロッカー利用情報に含まれる利用者名（宿泊者名）に対してキーワードによる検索処理や照合処理が可能なように、記憶部１２に格納されている。なお、前記ロッカー利用情報は、前記予約情報とともに予約管理データ１２１に登録されていてもよい。
【００４５】
図３は、予約管理データ１２１の一例を示す図である。図３には、一例として、２０ＸＸ年ＹＹ月１日以降に宿泊施設を利用する複数の利用者（宿泊者）それぞれの予約情報が登録された予約管理データ１２１が示されている。つまり、予約管理データ１２１には、利用者（Ｐ１，Ｐ２，Ｐ３，・・・）の宿泊予約の内容（予約内容）を含む予約情報が、管理番号（不図示）ごとに分けて複数登録されている。
【００４６】
前記予約情報には、宿泊日（宿泊予約日）、チェックイン可能時刻、予約者名、宿泊者名、客室数（部屋数）などの利用者属性を示す情報（利用者属性情報）が含まれている。なお、前記利用者属性情報として、利用人数や、利用者が宿泊日に宿泊施設に到着する予定の時刻（到着予定時刻）、利用者が宿泊施設に持参する利用者端末（スマートフォンなど）に設定されるメールアドレスなどの情報が前記予約情報に含まれていてもよい。
【００４７】
図４は、ロッカー利用管理データ１２２の一例を示す図である。図４には、一例として、宿泊日当日の利用者のロッカー利用に関する複数のロッカー利用情報が登録されたロッカー利用管理データ１２２が示されている。図４に示す例では、宿泊日当日（例えば２０ＸＸ年ＹＹ月１日）の現在時刻における前記ロッカー利用情報が利用者ごとに示されている。
【００４８】
前記ロッカー利用情報には、宿泊日当日の利用者名、宿泊者名、ロッカー使用状態、ロッカー番号、及び発行済みのロッカーキーの識別情報（ロッカーキー識別情報）などのロッカー属性を示す情報（ロッカー属性情報）が含まれている。
【００４９】
ここで、前記ロッカー使用状態は、宿泊施設内に設置されたロッカー装置３に対する利用者の利用状況のことであり、そのステータス情報としては、ロッカー装置３の利用申請をしていないことを示す「未申請」、ロッカーキー発行済みであるがまだロッカー装置３を使用していない状況を示す「キー発行済み」、所定のロッカー３００を現在使用していることを示す「使用中」、既に荷物（物品）が取り出されて使用が終了したことを示す「使用終了」などがある。前記ロッカー使用状態を示す前記ステータス情報は、後述のチェックイン処理（図１２参照）において参照される。
【００５０】
前記ロッカー番号は、ロッカー装置３を利用するためのロッカー利用手続きにおいて利用者によって指定（選択）されたロッカー３００の番号である。
【００５１】
前記ロッカーキー識別情報は、前記ロッカー利用手続きにおいて生成されるものであり、前記ロッカー利用手続き時に利用者によって指定されたロッカー３００の施錠及び解錠に用いられるロッカーキーを特定するための情報である。本実施形態では、前記ロッカーキーとして、前記ロッカーキー識別情報を含む二次元コードや一次元コードなどの情報コードが用いられる。前記情報コードは、紙媒体などのシートに印刷されて、利用者に提供される。なお、前記ロッカーキーは、前記情報コード又は前記情報コードを含むシートに限られず、例えば、前記ロッカーキー識別情報を含む非接触ＩＣカード（カードキー）であってもよい。前記ロッカーキーは、後述のロッカーキー発行処理（図１０参照）が行われることにより発行される。
【００５２】
図４に示す例では、利用者Ｐ１〜Ｐ３については、前記ロッカー利用手続きが既に行われて、使用予定のロッカー３００に対応するロッカーキーが発行されている状況が示されている。また、利用者Ｐ４については、ロッカーの利用申請が行われていない状況が示されている。また、利用者Ｐ５については、前記ロッカーキーが既に発行されて、前記ロッカーキーを用いてロッカー３００を使用している状況が示されている。また、利用者Ｐ６及びＰ７については、使用していたロッカー３００から荷物が取り出されて、既に使用を終了している状態が示されている。
【００５３】
制御部１１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリ（作業領域）として使用される。そして、制御部１１は、前記ＲＯＭ又は記憶部１２に予め記憶された各種の制御プログラムを前記ＣＰＵで実行することにより管理装置１０を制御する。
【００５４】
図２に示すように、制御部１１は、予約処理部１１１、予約照合処理部１１２、更新処理部１１３などの各種の処理部を含む。予約照合処理部１１２は、予約判定処理部の一例である。制御部１１は、前記ＣＰＵで前記制御プログラムに従った各種の処理を実行することによって前記各種の処理部として機能する。なお、制御部１１に含まれる一部又は全部の処理部が電子回路で構成されていてもよい。また、前記制御プログラムは、複数のプロセッサを前記各種の処理部として機能させるためのプログラムであってもよい。
【００５５】
予約処理部１１１は、前記利用者端末において宿泊予約の操作が行われた場合に、予約可能であるか否かを判定し、予約可能である場合に予約処理を実行する。予約処理が完了した場合、予約処理部１１１は、前記利用者端末に予約完了通知を送信し、前記宿泊者情報を含む前記予約情報を予約管理データ１２１（図３参照）に登録する。
【００５６】
なお、本実施形態では、管理装置１０において予約処理が行われる例について説明するが、例えば、管理装置１０と前記利用者端末との間に、利用者からの予約要求に応じて予約処理を実行する予約処理システムが介在してもよい。この場合、管理装置１０は、前記予約処理システムから送られてきた予約情報を予約管理データ１２１に登録して管理する。
【００５７】
予約照合処理部１１２は、ロッカー利用手続き又はチェックイン手続きに用いられるチェックイン端末２０から予約検索用のキーワード（予約検索情報）が入力された場合に、入力されたキーワードに基づいて、予約照合処理を実行する。前記予約照合処理は、予約管理データ１２１に登録されている複数の前記予約情報に前記キーワードに一致する情報を含む予約情報があるか否かを判定する処理である。前記予約照合処理は、チェックイン端末２０を操作している利用者を認証する処理でもある。具体的には、予約照合処理部１１２は、入力された前記キーワードと前記予約管理データ１２１に含まれる複数の予約情報とを照合する。この場合、前記予約照合処理において、前記キーワードが入力された当日（手続き日、受付日）を宿泊日程に含む予約情報と前記キーワードとが照合される。
【００５８】
前記予約照合処理において、前記キーワードが利用者（予約者、宿泊者）の名称である場合に、前記予約情報に含まれる複数の利用者名それぞれが、前記キーワードと順次照合される。ここで、前記キーワードは、利用者の予約情報を特定することができる利用者固有の情報であり、具体的には、利用者の氏名を示すワードである。なお、前記予約情報に、利用者の予約情報を特定するための予約番号、電話番号、メールアドレスなどが含まれる場合は、これらの情報が前記キーワードとして用いられてもよい。これらの情報は、いずれも、宿泊施設の予約時に利用者によって提示された情報或いは管理装置１０によって発行された情報である。チェックイン端末２０に、前記キーワードとして利用者の氏名（人名）が入力され、そして、チェックイン端末２０から送られてきた前記人名を示す情報（人名情報）を管理装置１０が受け取ると、予約照合処理部１１２は、前記予約照合処理を実行し、前記人名情報と予約管理データ１２１の予約情報に含まれる利用者名（予約者名、宿泊者名）とを照合する。
【００５９】
前記予約照合処理によって前記キーワードに一致している人名情報があると判定されると、予約照合処理部１１２は、チェックイン端末２０を操作した利用者を認証する。この場合、予約照合処理部１１２は、前記人名情報と前記予約情報とを関連付け、その後、前記人名情報に関連付けられた宿泊者名を含む予約情報を予約管理データ１２１から取得し、チェックイン端末２０に送信する。
【００６０】
なお、チェックイン端末２０において、チェックイン手続きに利用可能なＱＲコード（登録商標）などの情報コードが読み取られた場合は、前記情報コードに含まれるユーザＩＤ、予約番号などを上述した予約検索用のキーワードとして用いることも可能である。この場合、予約照合処理部１１２は、チェックイン端末２０の読取部２６で読み取られた前記情報コードから前記ユーザＩＤや前記予約番号を取得し、前記ユーザＩＤ又は前記予約番号を用いて前記予約照合処理を行う。なお、前記情報コード或いは前記情報コードに含まれる前記ユーザＩＤや前記予約番号は、本発明の予約検索情報の一例である。
【００６１】
また、チェックイン端末２０において、宿泊施設が利用者に対して発行している会員カードが不図示の読取装置によって読み取られた場合は、前記会員カードに含まれる、ユーザＩＤ、会員の氏名（会員名）などを上述した予約検索用のキーワードとして用いることも可能である。この場合、予約照合処理部１１２は、前記会員カードから前記ユーザＩＤや前記会員名を取得し、前記ユーザＩＤ又は前記会員名を用いて前記予約照合処理を行う。なお、前記会員カードに含まれる前記ユーザＩＤや前記会員名は、本発明の予約検索情報の一例である。
【００６２】
また、チェックイン端末２０において、チェックイン手続き時に読取部２６によって旅券画像が読み取られた場合は、当該旅券画像の画像データをＯＣＲ処理することによって得られる氏名情報を上述した予約検索用のキーワードとして用いることも可能である。この場合、予約照合処理部１１２は、チェックイン端末２０の読取部２６で読み取られた前記旅券画像から前記氏名情報を取得し、前記氏名情報を用いて前記予約照合処理を行う。なお、前記旅券画像から取得された前記氏名情報は、本発明の予約検索情報の一例である。
【００６３】
更新処理部１１３は、宿泊施設における利用者のチェックイン手続きが完了した場合に、予約管理データ１２１（図３参照）を更新する。例えば、更新処理部１１３は、後述のロッカーキー発行処理（図１０参照）や、ロッカー制御処理（図１１参照）、チェックイン処理（図１２参照）において、予約管理データ１２１やロッカー利用管理データ１２２に登録されていない情報がチェックイン端末２０から送信されてきた場合、或いは、各管理データ１２１，１２２に登録されている情報とは異なる情報が送信されてきた場合に、各管理データ１２１，１２２に登録されている情報を更新する。
【００６４】
具体的には、更新処理部１１３は、後述のロッカーキー発行処理においてロッカーキーが発行された場合は、当該ロッカーキーの識別情報、及び利用予定のロッカー３００の番号をロッカー利用管理データ１２２に登録し、前記ロッカー使用状態のステータス情報を「未申請」から「キー発行済」に更新する。また、後述のロッカー利用更新処理においてロッカーの利用開始を示す使用開始通知が送信されてきた場合は、ロッカー利用管理データ１２２における前記ロッカー使用状態のステータス情報を「使用中」に更新し、ロッカーの利用終了を示す使用終了通知が送信されてきた場合は、ロッカー利用管理データ１２２における前記ロッカー使用状態のステータス情報を「使用終了」に更新する。また、更新処理部１１３は、後述のチェックイン処理においてルームキーが発行されると、利用者のチェックインが完了したことを示す情報やチェックイン時刻などを予約管理データ１２１に登録する。
【００６５】
［チェックイン端末２０］
図２に示すように、チェックイン端末２０は、制御部２１、記憶部２２、操作表示部２３、カードキー発行部２４、ロッカーキー発行部２５、読取部２６、通信インターフェース２７、カメラ２８（図５参照）などを備える。チェックイン端末２０は、例えばパーソナルコンピュータのような情報処理装置であってもよい。
【００６６】
図５は、チェックイン端末２０の一例を示す外観図である。チェックイン端末２０において、利用者は操作表示部２３をタッチ操作することが可能となっている。利用者は、操作表示部２３に表示される操作画面を操作しながら、ロッカー利用手続き、チェックイン手続き、又はチェックアウト手続きを行う。カメラ２８は、チェックイン端末２０の上部に設けられており、例えば利用者の顔画像を撮像する。チェックイン端末２０には、クレジットカードなどのカード類を挿入するカード挿入部、硬貨及び紙幣を投入する金銭投入部なども含まれる。
【００６７】
通信インターフェース２７は、チェックイン端末２０を有線又は無線で通信網Ｎ１に接続し、通信網Ｎ１を介して管理装置１０及びロッカー制御装置４０との間で所定の通信プロトコルに従ったデータ通信を実行するための通信インターフェースである。
【００６８】
操作表示部２３は、各種の情報を表示する液晶ディスプレイ又は有機ＥＬディスプレイのような表示部と、操作を受け付けるタッチパネルなどの操作部とを備えるユーザインターフェースである。
【００６９】
カメラ２８は、利用者の画像を撮像してデジタル画像データとして出力するデジタルカメラである。カメラ２８は、ネットワークカメラであってもよい。また、カメラ２８は、チェックイン端末２０の前の人を検知するセンサ機能を備えてもよい。
【００７０】
読取部２６は、二次元コードや一次元コードなどの情報コードを読み取る。また読取部２６は、利用者の旅券（パスポート）、宿泊施設が発行する会員カード、身分証明書などをスキャンする機能を備えてもよい。読取部２６によって読み取られた情報は、制御部２１によって管理装置１０に送られて、管理装置１０の記憶部１２に記憶される。
【００７１】
カードキー発行部２４は、ルームキーであるカードキー（物理キー）を発行（排出）する。チェックイン端末２０における前記チェックイン手続き中に、カードキー発行部２４は、制御部２１の指示に基づいて前記カードキーを発行する。例えば、カードキー発行部２４は、前記チェックイン手続きにおいて利用者が認証されると、当該利用者に対応する情報（客室ＩＤ、宿泊日情報など）を記憶させたＩＣカード型の前記カードキーをチェックイン端末２０から排出する。
【００７２】
前記カードキーは、前記客室の入口に設けられた解錠装置（通信装置）との間の通信処理を介して前記客室の解錠を行うＩＣカードキーである。前記通信処理は、例えば非接触ＩＣカードを利用した近距離無線通信手段が利用可能である。例えば、利用者は前記カードキーを前記解錠装置に近接させると、前記解錠装置が前記通信処理を介して前記カードキーの識別情報（客室ＩＤなど）の照合を行い、照合に成功すると前記客室を解錠する。前記カードキーは、ＩＣカードに限定されず、磁気カード、情報コードが紙媒体等に印刷された情報コードキー、鍵穴に挿入して施錠及び解錠を行うキーなどの物理キーであればどのようなタイプのものであってもよい。
【００７３】
ロッカーキー発行部２５は、ロッカー装置３のロッカー３００に用いられるロッカーキーを発行（排出）する。チェックイン端末２０における前記ロッカー利用手続き中に、ロッカーキー発行部２５は、制御部２１の指示に基づいて前記ロッカーキーを発行する。例えば、カードキー発行部２４は、前記ロッカー利用手続きにおいて利用者が認証されると、利用者が使用しようとするロッカー３００に対応するロッカーキー識別情報を生成し、前記ロッカーキー識別情報を含む前記情報コードを紙媒体などのシートに印刷して、前記ロッカーキーとしてチェックイン端末２０から排出する。前記ロッカーキーに含まれるロッカーキー識別情報が、ロッカー制御装置４０に設けられた読取部４４（図２参照）に読み取られると、ロッカー制御装置４０は、前記ロッカーキー識別情報に対応するロッカー３００を解錠する。
【００７４】
なお、前記ロッカーキーは、前記情報コードが印刷されたシートに限定されず、前記ロッカーキー識別情報が記憶されたＩＣカード、磁気カードなどであってもよい。なお、前記情報コードは、必ずしも紙媒体などのシートに印刷される必要はなく、例えば、チェックイン端末２０の操作表示部２３に前記情報コードを表示させ、利用者が所有するスマートフォンなどの携帯端末に前記情報コードを画像として取り込ませるようにしてもよい。
【００７５】
記憶部２２は、各種の情報を記憶するフラッシュメモリなどの不揮発性の記憶部である。例えば、記憶部２２には、後述のロッカーキー発行処理（図１０参照）や、ロッカー制御処理（図１１参照）、チェックイン処理（図１２参照）などの各処理を制御部２１に実行させるための制御プログラムが記憶されている。これらの制御プログラムは、コンピュータ読取可能なＣＤ又はＤＶＤなどの記録媒体に非一時的に記録されており、チェックイン端末２０に電気的に接続されるＣＤドライブ又はＤＶＤドライブなどの読取装置（不図示）で読み取られて、記憶部２２に記憶される。
【００７６】
制御部２１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリ（作業領域）として使用される。そして、制御部２１は、前記ＲＯＭ又は記憶部２２に予め記憶された各種の制御プログラムを前記ＣＰＵで実行することによりチェックイン端末２０を制御する。
【００７７】
具体的に、制御部２１は、図２に示すように、受付処理部２１１、表示処理部２１２、チェックイン処理部２１３、ルームキー発行処理部２１４、ロッカーキー発行処理部２１５、問い合わせ処理部２１６などの各種の処理部を含む。受付処理部２１１は、本発明の第１受付処理部、第２受付処理部、第３受付処理部の一例である。表示処理部２１２は、本発明の第１表示処理部、第２表示処理部の一例である。チェックイン処理部２１３は、本発明のチェックイン処理部の一例である。ロッカーキー発行処理部２１５は、本発明のロッカーキー発行処理部の一例である。また、問い合わせ処理部２１６は、本発明の問い合わせ処理部の一例である。制御部２１は、前記ＣＰＵで前記制御プログラムに従った各種の処理を実行することによって前記各種の処理部として機能する。なお、制御部２１に含まれる一部又は全部の処理部が電子回路で構成されていてもよい。また、前記制御プログラムは、複数のプロセッサを前記各種の処理部として機能させるためのプログラムであってもよい。
【００７８】
受付処理部２１１は、宿泊施設の利用者がチェックイン端末２０の操作表示部２３を操作することにより入力された操作入力を受け付けるものであり、当該操作入力によって入力された入力情報を取得する。
【００７９】
例えば、受付処理部２１１は、本発明の第１受付処理部として、ロッカー装置３を利用するための前記ロッカー利用手続きに関する操作入力を受け付ける。具体的には、利用者が、図７に示すトップ画面２３Ａ（受付画面）において前記ロッカー利用手続きを開始する利用開始操作を行うと、受付処理部２１１は、前記ロッカー利用手続きをスタートするトリガ信号を取得する。ここで、前記利用開始操作は、利用者が、トップ画面２３Ａに表示されるロッカー利用ボタン６１をタッチ操作することである。
【００８０】
また、受付処理部２１１は、本発明の第２受付処理部として、前記操作入力が受け付けられた場合に、利用者の予約情報を検索するための前記キーワード（予約検索情報）の入力を受け付ける。具体的には、トップ画面２３Ａに表示されるロッカー利用ボタン６１がタッチ操作されると、利用者の氏名を入力するための入力欄を含む入力画面（不図示）が操作表示部２３に表示される。そして、利用者の予約情報を検索するためのキーワードとして利用者の氏名が前記入力画面に入力されて、ＯＫボタン（不図示）がタッチ操作されると、受付処理部２１１は、利用者の氏名を取得する。取得された利用者の氏名は、管理装置１０に送信されて、その利用者の宿泊予約があるか否かを判定する前記予約照合処理に用いられる。
【００８１】
前記入力画面は、利用者の宿泊予約に関する他の情報、例えば、予約番号、電話番号、住所などの宿泊者情報が入力可能に構成されていてもよい。
【００８２】
なお、本実施形態では、受付処理部２１１が、前記入力画面が操作されることによって入力された利用者の氏名を予約検索用の前記キーワードとして受け付ける処理例について説明するが、本発明はこの処理例に限られない。例えば、ロッカー利用ボタン６１がタッチ操作された後に、利用者が前記利用者端末（携帯端末）に表示された情報コードを読取部２６（図５参照）に翳した場合に、受付処理部２１１が、読取部２６によって読み取られた前記情報コードに含まれる前記宿泊者情報を前記キーワードとして取得してもよい。また、チェックイン端末２０の読取部２６が、利用者の旅券や前記会員カードに含まれる利用者の氏名などの情報を読み取る機能を備えている場合は、受付処理部２１１は、読取部２６によって読み取られた情報（氏名情報、ユーザＩＤ、会員名など）を前記キーワードとして取得してもよい。
【００８３】
表示処理部２１２は、各種の情報を操作表示部２３に表示させる。例えば、表示処理部２１２は、ロッカー利用手続きやチェックイン手続きに必要な情報を入力させるための各画面を操作表示部２３に表示させる。具体的には、表示処理部２１２は、上述したトップ画面２３Ａ（図７参照）や、後述するロッカー選択画面２３Ｂ（図８参照）などを操作表示部２３に表示する処理を実行する。
【００８４】
また、表示処理部２１２は、その他の各種メッセージを操作表示部２３に表示させる。具体的には、表示処理部２１２は、後述するロッカーキー発行処理において、操作表示部２３に、前記チェックイン手続きを促すメッセージを表示する。本実施形態では、表示処理部２１２は、トップ画面２３Ａのロッカー利用ボタン６１がタッチ操作されて、前記ロッカー利用手続きに関する操作入力が受け付けられると、現在時刻がチェックイン手続き可能な時刻（チェックイン可能時刻）を過ぎている場合に、前記チェックイン手続きを促すメッセージを操作表示部２３に表示する。ここで、制御部２１は、予約管理データ１２１を参照して、予約管理データ１２１に登録されている前記チェックイン可能時刻と前記現在時刻とを比較することによって、前記現在時刻が前記チェックイン可能時刻を過ぎているか否かを判定する。
【００８５】
チェックイン処理部２１３は、前記チェックイン手続きにおいてチェックイン端末２０に入力される情報に基づいて、利用者の認証を行う。具体的には、受付処理部２１１によって利用者の予約情報を検索するための前記キーワードの入力が受け付けられると、チェックイン処理部２１３は、前記キーワードを管理装置１０に送信し、管理装置１０の予約照合処理部１１２に上述した予約照合処理を実行させる。そして、前記予約照合処理において、利用者が入力した前記キーワードが予約管理データ１２１に登録されているいずれかの予約情報に一致する場合に、チェックイン処理部２１３は、当該利用者を認証し、当該利用者の宿泊を許可する。なお、チェックイン処理部２１３は、受付処理部２１１によって前記キーワードの入力が受け付けられた場合に、管理装置１０に記憶される予約管理データ１２１（図３参照）を参照して、前記予約照合処理を実行してもよい。
【００８６】
また、チェックイン処理部２１３は、利用者によるチェックインに必要な情報の入力が完了し、利用者の認証に成功した場合に、宿泊料金の支払い関する決済を行う。例えば、利用者がクレジットカードをチェックイン端末２０のカード挿入部（不図示）に挿入すると、チェックイン処理部２１３は、利用者が利用する決済事業者の決済サーバに決済要求を送信して決済処理を実行する。
【００８７】
ルームキー発行処理部２１４は、宿泊施設の客室の解錠を行うルームキーをチェックイン端末２０から発行させる。具体的には、ルームキー発行処理部２１４は、例えば前記チェックイン手続きにおいて前記決済処理が完了すると前記ルームキーを発行するルームキー発行処理を実行する。これにより、カードキー発行部２４から１枚のカードキーが排出される。利用者がチェックイン端末２０からカードキーを受け取ると、チェックイン処理部２１３は、前記チェックイン手続きを終了させ、表示処理部２１２は、手続き終了画面（不図示）を操作表示部２３に表示させる。その後、表示処理部２１２が図７に示すトップ画面２３Ａを表示させて、受付処理部２１１は、他の利用者の手続きの操作を受け付ける。
【００８８】
ロッカーキー発行処理部２１５は、前記予約照合処理によって利用者の予約情報が予約管理データ１２１にあると判定されると、ロッカー装置３の利用に必要なロッカーキーを発行するロッカーキー発行処理（図１０参照）を実行する。前記ロッカーキー発行処理において、ロッカーキー発行処理部２１５は、ロッカー装置３のロッカー３００（３０１〜３１７）の解錠に必要なロッカーキーをチェックイン端末２０から発行させる。これにより、ロッカーキー発行部２５から１枚のロッカーキーが排出される。前記ロッカーキーが発行されると、ロッカーキー発行処理部２１５は、手続き終了画面（不図示）を操作表示部２３に表示させる。その後、表示処理部２１２が図７に示すトップ画面２３Ａを表示させて、受付処理部２１１は、他の利用者の手続きの操作を受け付ける。
【００８９】
ロッカーキー発行処理部２１５は、例えば、所定の乱数生成アルゴリズムに基づいて、英数字を組み合わせた所定長さのランダムな文字列コードからなる前記ロッカーキー識別情報（図４参照）を生成し、前記ロッカーキー識別情報を含む情報コードが印刷されたシートを前記ロッカーキーとして発行する。なお、前記ロッカーキー識別情報は、前記ロッカーキーが発行された後にロッカー制御装置４０に送信される。ロッカー制御装置４０では、受信した前記ロッカーキー識別情報は、対応するロッカー３００のロッカー番号と関連付けられた状態で記憶部４２（図２参照）に記憶されて、後述の荷物受入処理又は荷物取り出し処理におけるキー照合処理に用いられる。
【００９０】
本実施形態では、前記予約照合処理によって、前記ロッカー利用手続きに関する前記操作入力を受け付けた受付日の予約情報があると判定された場合に、ロッカーキー発行処理部２１５は、前記ロッカーキーを発行する。言い換えると、ロッカーキー発行処理部２１５は、前記ロッカー利用手続きを行う当日（手続き日、受付日）の予約情報があると判定された場合に限り、前記ロッカーキーを発行する。
【００９１】
また、ロッカーキー発行処理部２１５は、受付処理部２１１によって前記ロッカー利用手続きに関する操作入力が受け付けられると、現在時刻が前記チェックイン可能時刻よりも前である場合に、前記ロッカーキーを発行する。一方、前記現在時刻が前記チェックイン可能時刻を過ぎている場合、ロッカーキー発行処理部２１５は、前記ロッカーキーを発行しない。また、既にチェックイン手続きが完了してルームキーが発行されている場合も、ロッカーキー発行処理部２１５は、前記ロッカーキーを発行しない。ここで、制御部２１は、予約管理データ１２１を参照して、予約管理データ１２１に登録されている前記チェックイン可能時刻と前記現在時刻とを比較することによって、前記現在時刻が前記チェックイン可能時刻を過ぎているか否かを判定する。また、制御部２１は、予約管理データ１２１に登録されている前記予約情報のチェックイン状況（図３参照）を参照して、チェックイン済みか否かを判定する。
【００９２】
問い合わせ処理部２１６は、前記予約照合処理によって利用者の予約情報が予約管理データ１２１にあると判定された場合に、ロッカー制御装置４０に対して、空きロッカー（未使用ロッカー）があるか否かを問い合わるせる処理（問い合わせ処理）を実行する。具体的には、問い合わせ処理部２１６は、前記空きロッカーがあるか否かを問い合わせる要求（問い合わせ要求）をロッカー制御装置４０に送信する。ロッカー制御装置４０は、前記問い合わせ要求を受信すると、複数のロッカー３００の空き状況が登録された空き状況管理データ４２１（図２参照）を参照して、前記空きロッカーの有無に関する情報をチェックイン端末２０に送信する。例えば、ロッカー制御装置４０は、前記空きロッカーがある場合に、前記空きロッカーのロッカー番号や収容容積（サイズ）などを含むロッカー空き情報（未使用情報）をチェックイン端末２０に送信し、前記空きロッカーが無い場合は、前記空きロッカーが無いことを示す満情報をチェックイン端末２０に送信する。この場合、ロッカーキー発行処理部２１５は、前記空きロッカーがあることを示す前記ロッカー空き情報を受信した場合に、前記ロッカー空き情報に含まれる前記ロッカー番号に対応する前記空きロッカーのロッカーキーを発行する。
【００９３】
なお、問い合わせ処理部２１６は、ロッカー制御装置４０の記憶部４２にアクセスして、空き状況管理データ４２１（図２参照）を参照し、前記ロッカー空き情報を取得してもよい。
【００９４】
本実施形態では、チェックイン端末２０が前記ロッカー空き情報を受信すると、表示処理部２１２は、空きロッカー３００のロッカー番号とその収容容積（サイズ）とを含むロッカー選択画面２３Ｂ（図８参照）を操作表示部２３に表示する。ここで、ロッカー選択画面２３Ｂは、利用者が使用したいと希望するロッカー３００を選択（指定）するための入力画面である。ロッカー選択画面２３Ｂには、図８に示すように、ロッカー装置３における各ロッカー３００（３０１〜３１７）の位置と、各ロッカー３００のサイズとを一見して把握できるイラスト７１と、所望するロッカー３００を指定するためのプルダウンメニュー７２とが含まれている。図８の例では、空きロッカー３０１〜３０３，３１３と、使用中のロッカー３００とが区別されたイラスト７１が示されている。また、空きロッカー３０１〜３０３，３１３だけを選択可能に表示されたプルダウンメニュー７２が示されている。言い換えると、ロッカー選択画面２３Ｂには、空きロッカー３００のロッカー番号（３０１〜３０３，３１３）と、空きロッカー３００の収容容積（サイズ）とが、イラスト７１によって示されている。
【００９５】
前記ロッカー選択画面２３Ｂが表示されるため、利用者は、希望するサイズのロッカー３００を容易に指定することができる。
【００９６】
前記ロッカー選択画面２３Ｂには、プルダウンメニュー７２で選択したロッカー３００を確定するためのＯＫボタン７３と、キャンセルボタン７４とが設けられている。利用者は、希望するサイズのロッカー３００がある場合、利用者によって、プルダウンメニュー７２からそのロッカー番号が選択され、その後、ＯＫボタン７３が押し操作される。この場合、受付処理部２１１は、本発明の第３受付処理部として、空きロッカー３００に対する選択操作の入力を受け付け、当該操作入力によって入力されたロッカー番号の情報を取得する。なお、前記ロッカー選択画面２３Ｂにおいて、キャンセルボタン７４が押し操作されると、前記ロッカー利用手続きがキャンセルされて、操作表示部２３にトップ画面２３Ａ（図７参照）が表示される。
【００９７】
なお、前記ロッカー選択画面２３Ｂにイラスト７１は必須ではない。例えば、イラスト７１の表示に替えて、プルダウンメニュー７２に空きロッカー３００の番号とともに、各空きロッカー３００のサイズ情報が表示されていてもよい。
【００９８】
前記受付処理部２１１によって、空きロッカー３００に対する選択操作の入力が受け付けられると、ロッカーキー発行処理部２１５は、当該操作入力によって入力されたロッカー番号に対応するロッカー３００のロッカーキーを発行する。
【００９９】
また、ロッカーキー発行処理部２１５は、前記ロッカーキーを発行すると、当該ロッカーキーに対応するロッカーのロッカー番号（識別情報）をロッカー制御装置４０に送信する処理を実行する。ロッカー制御装置４０が前記ロッカー番号を受信すると、ロッカー制御装置４０の制御部４１は、記憶部４２内の空き状況管理データ４２１における前記ロッカー番号に対応するロッカー３００の使用状態を、「使用予約中」に変更する。ここで、前記「使用予約中」は、ロッカーキーが発行済みであるが、対応するロッカー３００がまだ使用されていない状態を示す。
【０１００】
また、本実施形態では、ロッカー３００の空きを確保するため、利用者がチェックイン前にロッカー３００を利用している場合は、その利用者のチェックイン処理が実行されないように制限される。具体的には、チェックイン処理部２１３は、ロッカー制御装置４０から送信されてきた後述の使用開始通知を受信した場合に、前記チェックイン処理を実行せず、或いは実行中のチェックイン処理を中断する。一方、チェックイン処理部２１３は、ロッカー制御装置４０から送信されてきた後述の使用終了通知を受信した場合に、前記チェックイン処理を実行し、或いは実行中のチェックイン処理を継続する。
【０１０１】
［ロッカー制御装置４０］
図２に示すように、ロッカー制御装置４０、制御部４１、記憶部４２、操作表示部４３、読取部４４、通信インターフェース４５などを備える。ロッカー制御装置４０は、ロッカー装置３と一体に設けられたパーソナルコンピュータのような情報処理装置であってもよい。
【０１０２】
図６は、ロッカー制御装置４０が組み込まれたロッカー装置３の一例を示す外観図である。ロッカー装置３は、荷物を収容可能な複数のロッカー３００（３０１〜３１７）を備えている。ロッカー制御装置４０は、ロッカー装置３を管理する装置であり、詳細には、ロッカー装置３の各ロッカー３００に対する利用手続きの受入処理や、各ロッカー３００の解錠に伴う処理を実行する。
【０１０３】
通信インターフェース４５は、ロッカー制御装置４０を有線又は無線で通信網Ｎ１に接続し、通信網Ｎ１を介して管理装置１０及びロッカー制御装置４０との間で所定の通信プロトコルに従ったデータ通信を実行するための通信インターフェースである。
【０１０４】
操作表示部４３は、各種の情報を表示する液晶ディスプレイ又は有機ＥＬディスプレイのような表示部と、操作を受け付けるタッチパネルなどの操作部とを備えるユーザインターフェースである。操作表示部４３は、利用者によるタッチ操作を受け付け可能に構成されている。
【０１０５】
操作表示部４３には、制御部４１によって、図９に示す受付画面４３Ａが表示される。受付画面４３Ａにおいて、荷物を預け入れる手続き、或いは、荷物を取り出す手続きを開始する操作が行われると、制御部４１は、これらの操作に応じて、後述の荷物受入処理又は荷物取り出し処理を実行する。例えば、受付画面４３Ａに表示される預け入れボタン８１が押し操作されると、前記荷物受入処理が実行される。また、取り出しボタン８２が押し操作されると、前記荷物取り出し処理が実行される。
【０１０６】
読取部４４は、前記ロッカーキーの情報コードを読み取る。上述したように、利用者は、前記ロッカー利用手続きを行うことにより、ロッカー装置３の空きロッカー３００のロッカーキーをチェックイン端末２０から取得することができる。その利用者が、前記ロッカーキーを読取部４４に翳すと、読取部４４によって前記ロッカーキーに含まれる前記ロッカーキー識別情報が読み取られる。
【０１０７】
記憶部４２は、各種の情報を記憶するフラッシュメモリなどの不揮発性の記憶部である。例えば、記憶部２２には、複数のロッカー３００（３０１〜３１７）それぞれの使用状態（空き状態）及び各収容容積（サイズ）などが登録された空き状況管理データ４２１が記憶されている。記憶部４２は、本発明のステータス記憶部の一例である。また、記憶部４２には、チェックイン端末２０から送信された前記空きロッカーの前記ロッカーキー識別情報が記憶されている。前記空き状況管理データ４２１に登録されている各情報は、後述のロッカー制御処理（図１１参照）に用いられる。
【０１０８】
また、記憶部４２には、後述のロッカー制御処理を制御部４１に実行させるための制御プログラムが記憶されている。前記制御プログラムは、コンピュータ読取可能なＣＤ又はＤＶＤなどの記録媒体に非一時的に記録されており、ロッカー制御装置４０に電気的に接続されるＣＤドライブ又はＤＶＤドライブなどの読取装置（不図示）で読み取られて、記憶部４２に記憶される。
【０１０９】
制御部４１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリ（作業領域）として使用される。そして、制御部４１は、前記ＲＯＭ又は記憶部４２に予め記憶された各種の制御プログラムを前記ＣＰＵで実行することによりロッカー制御装置４０を制御する。
【０１１０】
具体的に、制御部４１は、図２に示すように、キー照合処理部４１１、更新処理部４１２、送信処理部４１３などの各種の処理部を含む。前記更新処理部４１２は、本発明のステータス変更処理部の一例である。制御部４１は、前記ＣＰＵで前記制御プログラムに従った各種の処理を実行することによって前記各種の処理部として機能する。なお、制御部４１に含まれる一部又は全部の処理部が電子回路で構成されていてもよい。また、前記制御プログラムは、複数のプロセッサを前記各種の処理部として機能させるためのプログラムであってもよい。
【０１１１】
キー照合処理部４１１は、読取部４４によって前記ロッカーキーに含まれる前記ロッカーキー識別情報（以下、入力キー情報と称する。）が読み取られた場合に、当該入力キー情報と、記憶部４２に記憶されている前記ロッカーキー識別情報とを照合するキー照合処理を実行する。前記キー照合処理は、荷物を預け入れる際に行われる前記荷物受入処理、及び、荷物を取り出す際に行われる前記荷物取り出し処理のいずれにおいても実行される。
【０１１２】
更新処理部４１２は、チェックイン端末２０から発行済みのロッカーキーに対応するロッカーのロッカー番号やロッカーキー識別情報を受信すると、空き状況管理データ４２１を更新する。具体的には、他のチェックイン端末２０によるロッカー３００の重複利用を防止するため、更新処理部４１２は、空き状況管理データ４２１における前記ロッカー番号に対応するロッカー３００の使用状態を「未使用」から「使用予約中」に変更する。また、当該ロッカー番号に対応する識別情報の欄に前記ロッカーキー識別情報を登録する。前記「使用予約中」は、ロッカーキーが発行済みであるがまだ使用されていない状態を示し、前記使用状態が「使用予約中」に変更されたロッカー３００については、空きロッカーと判断されなくなる。これにより、上述した重複利用が防止される。
【０１１３】
また、更新処理部４１２は、前記入力キー情報が読取部４４によって読み取られると、空き状況管理データ４２１における前記ロッカー番号に対応するロッカー３００の使用状態を「使用予約中」から「使用中」に変更する。
【０１１４】
送信処理部４１３は、チェックイン端末２０から前記問い合わせ要求を受信すると、空き状況管理データ４２１（図２参照）を参照して、前記空きロッカーの有無に関する情報をチェックイン端末２０に送信する。具体的には、送信処理部４１３は、空き状況管理データ４２１を参照して、前記空きロッカーがあると判定した場合に、ロッカー番号及び収容容積を含む前記ロッカー空き情報を送信する。一方、空き状況管理データ４２１を参照して、空きロッカーが無いと判定した場合は、前記空きロッカーが無いことを示す満情報を送信する。なお、送信処理部４１３は、ロッカー番号や収容容積を含んでおらず、少なくとも空きロッカーがある旨を示す情報を含むロッカー空き情報をチェックイン端末２０に送信してもよい。
【０１１５】
また、送信処理部４１３は、チェックイン端末２０において発行された前記ロッカーキーに対応するロッカー３００の使用状態を示すステータス情報を管理装置１０及びチェックイン端末２０それぞれに送信する処理を実行する。例えば、発行済みの前記ロッカーキーに対応するロッカー３００に荷物が預け入れられて当該ロッカー３００の利用が開始されると、送信処理部４１３は、使用開始通知を管理装置１０及びチェックイン端末２０に送信する。ここで、前記使用開始通知は、当該ロッカー３００が使用中であることを示す第１通知情報である。一方、前記ロッカーキーに対応するロッカー３００から荷物が取り出されて当該ロッカー３００の利用が終了すると、送信処理部４１３は、使用終了通知を管理装置１０及びチェックイン端末２０に送信する。ここで、前記使用終了通知は、当該ロッカー３００の使用が終了したことを示す第２通知情報である。
【０１１６】
前記使用開始通知又は前記使用終了通知が管理装置１０で受信されると、管理装置１０の制御部１１の更新処理部１１３は、前記使用開始通知又は前記使用終了通知に基づいて、ロッカー利用管理データ１２２のロッカー使用状態のステータス情報を更新する。例えば、更新処理部１１３は、前記使用開始通知を受信すると、前記ロッカー使用状態のステータス情報を「使用中」に更新する。また、更新処理部１１３は、前記使用終了通知を受信すると、前記ロッカー使用状態のステータス情報を「使用終了」に更新する。
【０１１７】
また、前記使用開始通知又は前記使用終了通知がチェックイン端末２０で受信されると、前記使用開始通知又は前記使用終了通知の各通知情報が記憶部２２に記憶される。
【０１１８】
以下、図１０乃至図１２を参照しつつ、宿泊施設チェックインシステム１００において実行されるロッカーキー発行処理、ロッカー制御処理、及びチェックイン処理の各手順の一例とともに、本発明の施設利用管理方法について説明する。なお、以下に説明する各処理に含まれる一又は複数のステップが適宜省略されてもよい。また、各処理における各ステップは、同様の作用効果を生じる範囲で実行順序が異なってもよい。さらに、以下に説明する各処理は、処理実行主体である制御部１１、制御部２１、又は制御部４１に対応するプロセッサによって各処理における各ステップが実行されてもよく、或いは、各制御部１１，２１，４１のいずれか複数に対応する複数のプロセッサによって前記各処理における各ステップが分散して実行されてもよい。
【０１１９】
［ロッカーキー発行処理］
前記ロッカーキー発行処理は、図１０に示す手順にしたがって、チェックイン端末２０の制御部２１により実行される。例えば、制御部２１は、利用者がチェックイン端末２０において前記ロッカーキー利用手続きを開始する操作を行う度に記憶部２２内の制御プログラム（ロッカーキー発行処理プログラム）の実行を開始することによって、前記ロッカーキー発行処理の実行を開始する。なお、本発明は、前記ロッカーキー発行処理に含まれる一又は複数のステップを実行するロッカーキー発行方法（本発明の施設利用管理方法の一例）の発明として捉えることができる。
【０１２０】
図１０に示すように、ステップＳ１１において、チェックイン端末２０の制御部２１は、チェックイン端末２０のトップ画面２３Ａ（図７参照）において利用者から前記ロッカー利用手続きを開始する操作（利用開始操作）を受け付けたか否かを判定する。具体的には、ロッカー利用ボタン６１がタッチ操作された場合に、制御部２１は、前記利用開始操作を受け付けたと判定する。ステップＳ１１において、制御部２１は、前記利用開始操作を受け付けるまで待機する。ステップＳ１１において前記利用開始操作が受け付けられると、制御部２１は、処理を次のステップＳ１２に移行させる。なお、ステップＳ１１は、本発明の第１受付ステップの一例である。
【０１２１】
前記利用開始操作を受け付けると、制御部２１は、利用者の宿泊者情報を入力するための入力画面（不図示）を操作表示部２３に表示する。そして、ステップＳ１２において、制御部２１は、前記入力画面（不図示）において利用者から宿泊者情報の入力操作を受け付ける。例えば、制御部２１は、前記入力画面において、利用者の氏名、予約番号、電話番号、住所などの宿泊者情報を入力する操作を受け付ける。ステップＳ１２において前記宿泊者情報が入力されると、制御部２１は、処理を次のステップＳ１３に移行させる。なお、ステップＳ１２は、本発明の第２受付ステップの一例である。
【０１２２】
次のステップＳ１３では、ステップＳ１２において入力された宿泊者情報に基づいて、上述の予約照合処理が実行される。具体的には、制御部２１は、前記宿泊者情報を含む予約照合要求を管理装置１０に送信する。管理装置１０の制御部１１は、前記予約照合要求を受信すると、前記宿泊者情報を予約検索用のキーワード（予約検索情報）として認識し、前記宿泊者情報に基づいて前記予約照合処理を実行する。詳細には、制御部１１は、入力された前記宿泊者情報と予約管理データ１２１（図３参照）に含まれる複数の予約情報とを照合し、複数の前記予約情報に前記宿泊者情報と一致する情報を含む予約情報があるか否かを判定する。本実施形態では、前記予約照合処理における照合対象は、ステップＳ１１において前記利用開始操作が受け付けられた受付日（手続き日）を宿泊日程に含む予約情報である。なお、ステップＳ１３は、本発明の予約判定ステップの一例である。
【０１２３】
制御部１１による前記予約照合処理が終了すると、制御部１１は、その照合結果をチェックイン端末２０に送信する。例えば、制御部１１は、一致する予約情報が無かった場合は、予約が無いことを示す情報（予約無し情報）を送信し、一致する予約情報があった場合は、当日の予約があることを示す情報（予約有り情報）とともに、予約管理データ１２１に登録されている前記予約情報をチェックイン端末２０に送信する。
【０１２４】
なお、ステップＳ１３の前記予約照合処理は、上述した処理例に限られない。例えば、前記予約照合処理は、制御部２１が管理装置１０の記憶部１２にアクセスして、予約管理データ１２１（図３参照）を参照し、制御部２１が前記宿泊者情報と予約管理データ１２１に含まれる複数の予約情報とを照合するものであってもよい。
【０１２５】
次のステップＳ１４では、制御部２１は、前記ステップＳ１３の前記予約照合処理による照合結果に基づいて、当日の予約があるか否かを判定する。制御部２１は、前記予約無し情報を受信した場合に予約無しと判定し、前記予約有り情報を受信した場合に予約有りと判定する。ステップＳ１４において、当日の予約が無いと判定された場合（Ｓ１４：Ｎｏ）、制御部２１は、ロッカーの利用ができない旨のメッセージ（利用不可メッセージ）を操作表示部２３に表示する（Ｓ２７）。本実施形態では、当日の宿泊予約がある場合に限り、ロッカー装置３の利用を許可するべく、当日の予約が無いと判定された場合は、制御部２１は、ロッカーキーを発行せずに、前記利用不可メッセージを操作表示部２３に表示し、その後、前記ロッカーキー発行処理を終了する。
【０１２６】
一方、ステップＳ１４において、当日の予約があると判定された場合（Ｓ１４：Ｙｅｓ）、制御部２１は、処理を次のステップＳ１５に移行させる。
【０１２７】
ステップＳ１５では、制御部２１は、当日予約があると判定された利用者の前記宿泊情報に基づいて、チェックイン済みであるか否かを判定する。例えば、制御部２１は、管理装置１０の記憶部１２にアクセスして、予約管理データ１２１における前記利用者の宿泊情報（チェックイン状況など）を参照することにより、チェックイン済みであるか否かを判定する。或いは、管理装置１０から前記予約有り情報とともに前記宿泊情報が送信されてきた場合は、制御部２１は、受信した前記宿泊情報に基づいてチェックイン済みか否かを判定してもよい。
【０１２８】
ステップＳ１５において、チェックイン済みと判定された場合（Ｓ１５：Ｙｅｓ）、制御部２１は、ロッカーの利用ができない旨のメッセージ（利用不可メッセージ）を操作表示部２３に表示する（Ｓ２７）。チェックイン済みであれば、利用者は、自身の客室に荷物を保管することができる。そのため、本実施形態では、他の利用者のためにロッカー装置３のロッカー３００の空きを確保するために、チェックイン済みと判定された場合は、制御部２１は、ロッカーキーを発行せずに、前記利用不可メッセージを操作表示部２３に表示し、その後、前記ロッカーキー発行処理を終了する。
【０１２９】
一方、ステップＳ１５において、チェックイン済みではないと判定された場合（Ｓ１５：Ｎｏ）、制御部２１は、処理を次のステップＳ１６に移行させる。
【０１３０】
ステップＳ１６では、制御部２１は、現在時刻が当該利用者のチェックイン可能時刻よりも前であるか否かを判定する。制御部２１は、前記予約有り情報とともに送信されてきた前記予約情報に含まれる前記チェックイン可能時刻と現在時刻とを比較することにより、当該判定処理を行う。ステップＳ１６において、現在時刻が前記チェックイン可能時刻よりも後であると判定されると（Ｓ１６：Ｎｏ）、制御部２１は、利用者に対してチェックイン手続きを促すメッセージを操作表示部２３に表示する（Ｓ１７）。当日の宿泊予約がある場合でも、チェックイン可能な状態であれば、チェックイン後に利用者自身の客室に荷物を保管してもらうようにすれば、ロッカー装置３のロッカー３００の空きを確保することができる。このため、例えば、宿泊施設で規定されている時刻や他の利用者のチェックイン時刻よりも早くにチェックイン可能な利用者である場合は、制御部２１は、ロッカーキーを発行せずに、前記メッセージを操作表示部２３に表示し、その後、前記ロッカーキー発行処理を終了する。
【０１３１】
一方、ステップＳ１６において、現在時刻が当該利用者のチェックイン可能時刻よりも前であると判定された（Ｓ１６：Ｙｅｓ）、制御部２１は、処理を次のステップＳ１８に移行させる。
【０１３２】
ステップＳ１８では、ロッカー制御装置４０に対して、空きロッカーがあるか否かを問い合わせる問い合わせ処理が実行される。具体的には、制御部２１は、前記空きロッカーがあるか否かを問い合わせる要求（問い合わせ要求）をロッカー制御装置４０に送信する。ロッカー制御装置４０の制御部４１は、前記問い合わせ要求を受信すると、制御部４１は、空き状況管理データ４２１（図２参照）を参照して空きロッカーの有無を判定する。そして、制御部４１は、前記空きロッカーがある場合はそのロッカー番号及び収容容積（サイズ）を含む前記ロッカー空き情報（未使用情報）をチェックイン端末２０に送信し、空きロッカーが無い場合は満情報をチェックイン端末２０に送信する。ここで、ステップＳ１８は、問い合わせステップの一例である。
【０１３３】
次のステップＳ１９では、制御部２１は前記ロッカー空き情報を受信したか否かを判定する。ステップＳ１９において、前記ロッカー空き情報を受信したと判定されると、制御部２１は、処理をステップＳ２２に移行させる。
【０１３４】
一方、制御部２１は、ステップＳ２０において前記満情報を受信したと判定すると、次のステップＳ２１において、空きロッカーが無いためロッカーの利用ができない旨のメッセージ（利用不可メッセージ）を操作表示部２３に表示する（Ｓ２１）。その後、制御部２１は、ロッカーキーを発行せずに、前記ロッカーキー発行処理を終了する。
【０１３５】
次のステップＳ２２では、制御部２１は、ロッカー選択画面２３Ｂ（図８参照）を操作表示部２３に表示する。
【０１３６】
次のステップＳ２３では、制御部２１は、ロッカー選択画面２３Ｂにおいて、空きロッカー３００に対する選択操作を受け付けたか否かを判定する。具体的には、プルダウンメニュー７２において所定の空きロッカー３００のロッカー番号が選択され、その後、ＯＫボタン７３がタッチ操作された場合に、制御部２１は、前記選択操作を受け付けたと判定する。ステップＳ２３において、前記選択操作を受け付けたと判定されると、制御部２１は、処理をステップＳ２５に移行させる。ここで、ステップＳ２３は、第３受付ステップの一例である。
【０１３７】
一方、制御部２１は、ステップＳ２４においてキャンセル操作を受け付けると、操作表示部にトップ画面２３Ａを表示して、その後、ロッカーキーを発行せずに、前記ロッカーキー発行処理を終了する。
【０１３８】
ステップＳ２５では、制御部２１は、ステップＳ２３で受け付けられた選択操作に対応する空きロッカー３００のロッカーキーを発行する。具体的には、制御部２１は、文字列コードからなる前記ロッカーキー識別情報（図４参照）を生成し、前記ロッカーキー識別情報を含む情報コードが印刷されたシートを出力（排出）する。なお、ステップＳ２５は、本発明のロッカーキー発行ステップの一例である。
【０１３９】
その後、ステップＳ２６において、制御部２１は、ロッカーキーを発行したこと、発行したロッカーキーの識別情報（ロッカーキー識別情報）、及びロッカー番号を管理装置１０に送信し、ロッカー制御装置４０、及び管理装置１０に送信する。前記ロッカーキー識別情報等は、後述のロッカー制御処理（図１１参照）に用いられる。また、前記ロッカーキー識別情報等を受信した管理装置１０の制御部１１は、ロッカー利用管理データ１２２を更新する。
【０１４０】
［ロッカー制御処理］
前記ロッカー制御処理は、図１１に示す手順にしたがって、ロッカー制御装置４０の制御部４１により実行される。
【０１４１】
図１１に示すように、ステップＳ４１において、チェックイン端末２０から送信されてきた前記問い合わせ要求（Ｓ１８参照）を受信すると、ロッカー制御装置４０の制御部４１は、空き状況管理データ４２１（図２参照）を参照して、前記空きロッカーの有無を確認する処理を実行する（Ｓ４２）。
【０１４２】
ステップＳ４２の確認処理が行われ、前記空きロッカーがあると判定されると（Ｓ４３：Ｙｅｓ）、制御部４１は、前記ロッカー空き情報をチェックイン端末２０に送信する（Ｓ４５）。一方、前記空きロッカーが無いと判定されると（Ｓ４３：Ｎｏ）、制御部４１は、前記満情報をチェックイン端末２０に送信する（Ｓ４４）。
【０１４３】
次のステップＳ４６において、制御部４１は、チェックイン端末２０から送信されてきた前記ロッカーキー識別情報及び前記ロッカー番号（Ｓ２６参照）を受信すると、制御部４１は、空き状況管理データ４２１（図２参照）を更新する（Ｓ４７）。具体的には、制御部４１は、空き状況管理データ４２１において、前記ロッカー番号に対応するロッカー３００の使用状態を、「未使用」から「使用予約中」に変更する。また、制御部４１は、当該ロッカー３００に対応する識別情報の欄に前記ロッカーキー識別情報を登録する。
【０１４４】
次のステップＳ４８において、制御部４１は、ロッカー制御装置４０の受付画面４３Ａ（図９参照）において利用者からロッカー３００への荷物の預け入れを開始する操作（預け入れ操作）を受け付けたか否かを判定する。具体的には、預け入れボタン８１がタッチ操作された場合に、制御部４１は、前記預け入れ操作を受け付けたと判定する。ステップＳ４８において前記預け入れ操作が受け付けられると、制御部４１は、処理を次のステップＳ４９に移行させる。
【０１４５】
ステップＳ４８において前記預け入れ操作が受け付けられず、ステップＳ５３において、ロッカー３００から荷物を取り出す操作（取り出し操作）が受け付けられると、制御部４１は、処理を次のステップＳ５４に移行させる。なお、ステップＳ５３では、制御部４１は、取り出しボタン８２がタッチ操作された場合に、前記取り出し操作を受け付けたと判定する。
【０１４６】
ステップＳ４９では、制御部４１は、前記預け入れ操作が受け入れられたことを条件に、荷物を預け入れのためのロッカーキーが入力されたか否かを判定する。制御部４１は、読取部４４によって前記ロッカーキーの情報コードが読み取られた場合に、ロッカーキーが入力されたと判定する。
【０１４７】
ステップＳ４９において前記ロッカーキーが入力されたと判定されると、制御部４１は、荷物受入処理を実行する（Ｓ５０）。具体的には、前記ロッカーキーの情報コードに含まれる前記ロッカーキー識別情報と、空き状況管理データ４２１に登録されている情報とを照合するキー照合処理を実行し、一致するロッカー３００がある場合に、当該ロッカー３００の扉のロックを解除する。これにより、利用者は、ロッカー３００の扉を開けて、荷物を内部に保管することができるようになる。その後、ロッカー３００の扉が閉められるか、或いは、扉が閉められた後に扉をロックする指示が入力されると、制御部４１は、扉を再びロックする。
【０１４８】
ステップＳ５０の前記荷物受入処理が完了すると、制御部４１は、空き状況管理データ４２１において、前記ロッカー３００に対応する使用状態を、「使用予約中」から「使用中」に変更し（Ｓ５１）、ロッカー３００が使用中であることを示す使用開始通知を管理装置１０及びチェックイン端末２０に送信する（Ｓ５２）。これにより、前記ロッカー制御処理が終了する。
【０１４９】
ステップＳ５４では、制御部４１は、前記取り出し操作が受け入れられたことを条件に、荷物を取り出すためのロッカーキーが入力されたか否かを判定する。制御部４１は、読取部４４によって前記ロッカーキーの情報コードが読み取られた場合に、ロッカーキーが入力されたと判定する。
【０１５０】
ステップＳ５４において前記ロッカーキーが入力されたと判定されると、制御部４１は、荷物取り出し処理を実行する（Ｓ５５）。具体的には、前記ロッカーキーの情報コードに含まれる前記ロッカーキー識別情報と、空き状況管理データ４２１に登録されている情報とを照合するキー照合処理を実行し、一致するロッカー３００がある場合に、当該ロッカー３００の扉のロックを解除する。これにより、利用者は、ロッカー３００の扉を開けて、保管していた荷物を取り出すことができるようになる。その後、ロッカー３００の扉が閉められるか、或いは、扉が閉められた後に扉をロックする指示が入力されると、制御部４１は、扉を再びロックする。
【０１５１】
ステップＳ５５の前記荷物取り出し処理が完了すると、制御部４１は、空き状況管理データ４２１において、前記ロッカー３００の使用状態を、「使用中」から「使用終了」に変更し（Ｓ５６）、ロッカー３００の使用が終了したことを示す使用終了通知を管理装置１０及びチェックイン端末２０に送信する（Ｓ５７）。これにより、前記ロッカー制御処理が終了する。
【０１５２】
［チェックイン処理］
前記チェックイン処理は、図１２に示す手順にしたがって、チェックイン端末２０の制御部２１及び管理装置１０の制御部１１により実行される。例えば、制御部１１，２１は、利用者がチェックイン端末２０において前記チェックイン手続きを開始する操作を行う度に記憶部１２又は記憶部２２内の制御プログラムの実行を開始することによって、前記チェックイン処理の実行を開始する。なお、本発明は、前記チェックイン処理に含まれる一又は複数のステップを実行するチェックイン方法（本発明の施設利用管理方法の一例）の発明として捉えることができる。
【０１５３】
また、以下においては、図１２に示す具体例を挙げて前記チェックイン処理について説明する。なお、前記チェックイン処理に含まれる各ステップは、本発明のチェックインステップに含まれる。
【０１５４】
図１２に示すように、ステップＳ６１において、チェックイン端末２０の制御部２１は、チェックイン端末２０のトップ画面２３Ａ（図７参照）において利用者から前記チェックイン手続きを開始する操作（チェックイン操作）を受け付けたか否かを判定する。具体的には、チェックインボタン６２がタッチ操作された場合に、制御部２１は、前記チェックイン操作を受け付けたと判定する。ステップＳ６１において、制御部２１は、前記チェックイン操作を受け付けるまで待機する。ステップＳ６１において前記チェックイン操作が受け付けられると、制御部２１は、処理を次のステップＳ６２に移行させる。
【０１５５】
前記チェックイン操作を受け付けると、制御部２１は、利用者の宿泊者情報を入力するための入力画面（不図示）を操作表示部２３に表示する。そして、ステップＳ１２において、制御部２１は、前記入力画面（不図示）において利用者から前記宿泊者情報の入力操作を受け付ける。例えば、制御部２１は、前記入力画面において、利用者の氏名、予約番号、電話番号、住所などの宿泊者情報を入力する操作を受け付ける。
【０１５６】
ステップＳ６２において前記宿泊者情報が入力されると、制御部２１は、処理を次のステップＳ６５に移行させる。また、ステップＳ６２において前記宿泊者情報が入力されなかった場合は、制御部２１は、処理を次のステップＳ６３に移行させる。
【０１５７】
ステップＳ６５では、上述したステップＳ１３と同様の処理、つまり、前記予約照合処理が実行される。その後、制御部２１は、処理をステップＳ６６に移行させる。
【０１５８】
また、ステップＳ６３では、制御部２１は、ロッカー装置３で用いられるロッカーキーが入力されたか否かを判定する。制御部４１は、読取部２６によって前記ロッカーキーの情報コードが読み取られた場合に、ロッカーキーが入力されたと判定する。
【０１５９】
次のステップＳ６４において、制御部２１は、ステップＳ６３で入力された前記ロッカーキーの情報コードに含まれる前記ロッカーキー識別情報（以下、入力キー情報と称する。）と、ロッカー利用管理データ１２２（図４参照）に登録されているロッカーキー識別情報とを照合するキー照合処理を実行する。その後、制御部２１は、処理をステップＳ６６に移行させる。
【０１６０】
ステップＳ６４では、制御部２１は、前記入力キー情報を含むキー照合要求を管理装置１０に送信する。管理装置１０の制御部１１は、前記キー照合要求を受信すると、前記入力キー情報を検索用のキーワードとして認識し、前記入力キー情報に基づいてキー照合処理を実行する。詳細には、制御部１１は、前記入力キー情報とロッカー利用管理データ１２２（図４参照）に含まれる複数のロッカーキー識別情報とを照合し、前記入力キー情報と一致するものがあるか否かを判定する。本実施形態では、前記キー照合処理における照合対象は、ステップＳ６１においてチェックイン操作が受け付けられた受付日に発行されたロッカーキーの識別情報である。制御部１１による前記キー照合処理が終了すると、制御部１１は、その照合結果をチェックイン端末２０に送信する。
【０１６１】
ステップＳ６６では、制御部２１は、ステップＳ６５の前記予約照合処理による照合結果、又は、ステップＳ６４の前記キー照合処理の照合結果に基づいて、当日の予約があるか否かを判定する。なお、上述した前記ロッカーキー発行処理（図１０参照）において既に予約照合処理（Ｓ１３）が実行されているため、制御部２１は、ロッカー利用管理データ１２２に前記入力キー情報があると判定された場合に、当日の予約があると判定する。この場合、利用者は、ロッカーキーを読取部２６に読み取らせるだけで、前記宿泊者情報を重複して入力することなく、予約の照合を行うことができる。
【０１６２】
ステップＳ６６において、当日の予約が無いと判定された場合（Ｓ６６：Ｎｏ）、チェックイン端末２０におけるチェックイン手続きを停止して、利用者をフロントへ案内するメッセージなどを操作表示部２３に表示する。その後、前記チェックイン処理は終了する。
【０１６３】
一方、ステップＳ６６において、当日の予約があると判定された場合（Ｓ６６：Ｙｅｓ）、制御部２１は、処理を次のステップＳ６８に移行させる。
【０１６４】
ステップＳ６８において、制御部２１は、ロッカー３００が利用者によって使用中であるか否かを判定する。具体的には、制御部２１は、ロッカー利用管理データ１２２のロッカー使用状態のスタータス情報を参照することにより、当該判定処理を行う。
【０１６５】
ロッカー３００の前記ステータス情報が「使用中」であると判定された場合（Ｓ６８：Ｙｅｓ）、制御部２１は、荷物をロッカー３００から取り出すことを促すメッセージを操作表示部２３に表示する（Ｓ６９）。その後、制御部２１は、ルームキーを発行せずに、前記チェックイン処理を終了する。利用者が宿泊施設にチェックインするのであれば、チェックイン後に利用者自身の客室に荷物を保管してもらうようにすれば、ロッカー装置３のロッカー３００の空きを確保することができる。このため、ロッカー３００をまだ使用中の利用者のチェックイン処理において、制御部２１は、荷物がロッカー３００から取り出されるまでルームキーの発行を禁止する。
【０１６６】
ステップＳ６８において、ロッカー３００の前記ステータス情報が「使用終了」であると判定された場合（Ｓ６８：Ｎｏ）、制御部２１は、宿泊料金の支払い関する決済処理を実行する（Ｓ７０）。なお、前記決済処理は、前記チェックイン処理に含まれず、チェックアウト時に行われるチェックアウト処理に含まれてもよい。
【０１６７】
次に、ステップＳ７１において、制御部２１は、前記ルームキーを発行するルームキー発行処理を実行する。つまり、制御部２１は、客室ＩＤなどの識別情報が記録されたカードキーを作成して、カードキー発行部２４から排出する。その後、前記チェックイン処理は終了する。
【０１６８】
以上説明したように、本実施形態では、宿泊施設チェックインシステム１００においてロッカーキー発行処理が実行されるため、前記ロッカー利用手続きを開始する利用開始操作が受け付けられた場合に、利用者の宿泊者情報が予約検索用のキーワード（予約検索情報）として入力され、前記宿泊者情報に基づいて前記予約照合処理が行われることによって、前記ロッカー利用手続きを行った利用者の宿泊予約があるか否かが判定される。そして、前記宿泊予約があると判定されると、ロッカー３００のロッカーキーが発行される。このため、宿泊施設のスタッフが介在することなく、利用者に対してロッカー３００の利用に用いられるロッカーキーを発行することが可能となる。その結果、宿泊施設のスタッフの業務負荷を軽減することができる。
【０１６９】
また、上述の実施形態では、前記利用開始操作を行った当日（受付日）に宿泊予約をしていない利用者に対して前記ロッカーキーが発行されず、前記当日に宿泊予約をしている利用者に対して前記ロッカーキーが発行される。このため、前記当日に宿泊予約をしていない利用者によるロッカー３００の使用が制限され、宿泊予約をしている利用者に優先的にロッカー３００の使用を許可することができる。
【０１７０】
なお、上述の実施形態において、利用者から前記ロッカー利用手続きを開始する操作（利用開始操作）が受け付けられた場合にステップＳ１２（図１０参照）において表示される前記入力画面に、利用を希望するロッカー数（利用希望数）を入力する入力欄を設けてもよい。この場合、制御部２１は、ステップＳ１８において、前記入力欄に入力された前記利用希望数を含む前記問い合わせ要求をロッカー制御装置４０に送信する。なお、前記入力欄は、上述の予約照合処理によって照合された前記予約情報が、複数部屋の宿泊予約を含む場合、或いは、１室に複数人が宿泊する宿泊予約を含む場合に限り前記入力画面に表示させるようにしてもよい。この場合、前記入力欄は、部屋数に応じた数、或いは宿泊する人数に応じた数を上限として前記利用希望数を入力に構成されていることが好ましい。この構成において、ロッカー制御装置４０では、ステップＳ４２において、前記利用希望数の空きが有るかどうかの確認が行われる。
【０１７１】
また、上述の実施形態では、ロッカー選択画面２３Ｂ（図８参照）において選択された一つのロッカー３００に対してロッカーキーを発行する処理例について説明したが、本発明はこのような処理例に限られない。例えば、ロッカー選択画面２３Ｂが、複数のロッカーを選択可能なものであってもよい。例えば、上述の予約照合処理によって照合された前記予約情報が、複数部屋の宿泊予約を含む場合、或いは、１室に複数人が宿泊する宿泊予約を含む場合に、制御部２１は、部屋数に応じた数、或いは宿泊する人数に応じた数の空きロッカーを選択可能なロッカー選択画面２３Ｂを操作表示部２３に表示してもよい。
【０１７２】
また、上述の実施形態におけるロッカーキー発行処理（図１０参照）では、制御部２１が前記ロッカー空き情報を受信した場合に、ロッカー選択画面２３Ｂ（図８参照）を操作表示部２３に表示させて、利用者に空きロッカー３００の番号を選択させる処理例について説明したが、本発明はこのような処理例に限られない。例えば、前記問い合わせ要求に対してロッカー制御装置４０からロッカー番号や収容容積を含まないロッカー空き情報を受信した場合、チェックイン端末２０の制御部２１は、ステップＳ２５において、不特定の空きロッカーを解錠可能なロッカーキーを発行する。具体的には、制御部２１は、特定の空きロッカーに対応する前記ロッカーキー識別情報を含む前記識別コードを発行するのではなく、ロッカー装置３における空きロッカーの利用許可を示す情報を含む情報コードをロッカーキーとして発行する。この場合、利用者がロッカー装置３の読取部４４に前記情報コードを入力すると、ロッカー制御装置４０の制御部４１は、空きロッカーのロッカー番号を選択可能なように操作表示部４３に表示し、何れかのロッカー番号が選択された場合にその空きロッカーを解錠する。これにより、利用者は、ロッカー装置３において、実際の空きロッカーの位置やサイズなどを確認しながら希望するロッカーを選択することができる。
【０１７３】
また、本発明の他の実施形態として、管理装置１０の制御部１１に含まれる各処理部がチェックイン端末２０の制御部２１に含まれてもよい。また、チェックイン端末２０の制御部２１に含まれる各処理部が管理装置１０の制御部１１に含まれてもよい。
【０１７４】
また、本発明の施設利用管理システムは、管理装置１０及びチェックイン端末２０で構成されてもよいし、管理装置１０及びチェックイン端末２０のいずれか一方の単体で構成されてもよい。また、管理装置１０、チェックイン端末２０、及びロッカー制御装置４０のいずれか二つの装置によって本発明の施設利用管理システムが構成されていてもよい。
【０１７５】
また、上述の実施形態では、本実施形態では、管理装置１０、チェックイン端末２０、及びロッカー制御装置４０が通信網Ｎ１を介して相互に通信可能な構成について例示するが、本発明はこの構成に限られない。例えば、上述した宿泊施設チェックインシステム１００において、チェックイン端末２０が管理装置１０のみに接続されており、また、ロッカー装置３が管理装置１０のみに接続されている場合は、チェックイン端末２０とロッカー装置３との間の通信が、管理装置１０を中継して行われてもよい。
【０１７６】
また、上述の実施形態では、ホテルなどの宿泊施設に適用される例について説明したが、本発明は宿泊施設に限られず、例えば、ロッカー装置３が設置されているスポーツ施設や空港施設などのように、情報端末を介してチェックイン手続きや受付手続きを行う施設にも適用可能である。
【符号の説明】
【０１７７】
３      ：ロッカー装置
１０    ：管理装置
１１    ：制御部
１２    ：記憶部
１３    ：操作表示部
１４    ：通信インターフェース
２０    ：チェックイン端末
２１    ：制御部
２２    ：記憶部
２３    ：操作表示部
２３Ａ  ：トップ画面
２３Ｂ  ：ロッカー選択画面
２４    ：カードキー発行部
２５    ：ロッカーキー発行部
２６    ：読取部
２７    ：通信インターフェース
２８    ：カメラ
４０    ：ロッカー制御装置
４１    ：制御部
４２    ：記憶部
４３    ：操作表示部
４３Ａ  ：受付画面
４４    ：読取部
４５    ：通信インターフェース
６１    ：ロッカー利用ボタン
６２    ：チェックインボタン
７１    ：イラスト
７２    ：プルダウンメニュー
７３    ：ＯＫボタン
７４    ：キャンセルボタン
８１    ：預け入れボタン
８２    ：取り出しボタン
１００  ：宿泊施設チェックインシステム
１１１  ：予約処理部
１１２  ：予約照合処理部
１１３  ：更新処理部
１２１  ：予約管理データ
１２２  ：ロッカー利用管理データ
２１１  ：受付処理部
２１２  ：表示処理部
２１３  ：チェックイン処理部
２１４  ：ルームキー発行処理部
２１５  ：ロッカーキー発行処理部
２１６  ：問い合わせ処理部
３００  ：ロッカー
４１１  ：キー照合処理部
４１２  ：更新処理部
４１３  ：送信処理部
４２１  ：空き状況管理データ
【要約】      （修正有）【課題】施設を利用予約した利用者に対して、施設のスタッフが介在することなく利用者に対してロッカー装置の利用に用いられるロッカーキーを発行することにより、施設のスタッフの業務負荷を軽減することを可能にするシステムを提供する。【解決手段】施設利用管理システム１００は、施設を利用予約した利用者の施設に対するチェックイン手続を受け付けるチェックイン端末２０と、物品を収容可能な複数のロッカーを有するロッカー装置を管理するロッカー制御装置４０と、を備える。チェックイン装置２０は、ロッカー装置の利用手続を受け付ける受付処理部２１１と、利用者の予約情報を検索するための予約検索情報の入力を受け付ける問い合わせ処理部２１６と、問い合わせ処理部２１６によって受け付けられた予約検索情報に基づいて、ロッカー装置の利用に必要なロッカーキーを発行するロッカーキー発行処理部２１５と、を備える。【選択図】図２【図１】
0006809623.tif 000002
【図２】
0006809623.tif 000003
【図３】
0006809623.tif 000004
【図４】
0006809623.tif 000005
【図５】
0006809623.tif 000006
【図６】
0006809623.tif 000007
【図７】
0006809623.tif 000008
【図８】
0006809623.tif 000009
【図９】
0006809623.tif 000010
【図１０】
0006809623.tif 000011
【図１１】
0006809623.tif 000012
【図１２】
0006809623.tif 000013